(57)【要約】【課題】受信信号中の目的とする信号のノイズ成分の大きさに応じて再生音声の出力を絞ることができるＦＭ受信機の利得制御回路を提供する。【解決手段】ノイズレベル計測回路６プリアンプ５とで本発明の利得制御回路を構成している。ノイズレベル計測回路６は、ＦＭ検波器４から出力された音声信号Ｓａ１中のノイズレベルを計測し、そのノイズレベルに対応した制御信号Ｓｃを出力する。プリアンプ５は、制御信号Ｓｃの値に応じて出力を低減する。本発明の利得制御回路を用いれば、受信電界強度が低下して音声信号Ｓａ１中のノイズ成分が増えるに従ってスピーカの音量が小さくなるため、耳障りなノイズによる不快感を軽減できる。【選択図】図１
2013074554.tif 000002
【特許請求の範囲】
【請求項１】
ＦＭ受信機で再生される音声の出力を、音声信号に含まれるノイズ成分の大きさに応じて制御する利得制御回路であって、
ＦＭ検波器から出力された音声信号中のノイズレベルを計測し、そのノイズレベルに対応した制御信号を出力するノイズレベル計測回路と、
前記制御信号の値に応じて出力を低減するプリアンプと、を備えたことを特徴とする利得制御回路。
【請求項２】
前記ノイズレベル計測回路は、
前記ＦＭ検波器から出力された音声信号からノイズ成分を取り出すフィルターと、
前記フィルターの出力が所定の値を超えたときにパルスを出力するパルス発生器と、
前記パルス発生器から出力されたパルス列を積分して前記制御信号を生成する積分器と、で構成されることを特徴とする、請求項１に記載の利得制御回路。
【請求項３】
前記ＦＭ検波器、プリアンプおよびノイズレベル計測回路はデジタル・シグナル・プロセッサにより構成され、それぞれの機能は、前記デジタル・シグナル・プロセッサでプログラムに基づいて演算を行うことにより実現されることを特徴とする、請求項１または２に記載の利得制御回路。
【請求項４】
前記プリアンプは、前記制御信号の値が大きくなるに従ってゲインが低下し、かつ前記制御信号が所定の閾値を超えたのちはゲインが一定になることを特徴とする、請求項３に記載の利得制御回路。
【請求項５】
前記積分器は、入力端子に直列に接続された抵抗と、並行に接続されたコンデンサとで構成された積分回路と同様の特性を実現することを特徴とする、請求項３に記載の利得制御回路。
【請求項６】
アンテナで受信した高周波信号から周波数変調された音声信号を取り出し、音声として再生するＦＭ受信機であって、
前記アンテナで受信した高周波信号を局部発振信号と混合して中間周波信号に変換するミキサと、
前記ミキサから出力された中間周波信号を検波して音声信号を出力するＦＭ検波器と、
前記ＦＭ検波器から出力された音声信号を音声として再生するスピーカと、
前記スピーカから再生される音声の出力を、音声信号に含まれるノイズ成分の大きさに応じて制御する利得制御回路と、を備え、
前記利得制御回路は、
前記ＦＭ検波器から出力された音声信号中のノイズレベルを計測し、そのノイズレベルに対応した制御信号を出力するノイズレベル計測回路と、
前記制御信号の値に応じて出力を低減するプリアンプと、で構成されることを特徴とするＦＭ受信機。
【請求項７】
コンピュータを、ＦＭ受信機で再生される音声の出力を、音声信号に含まれるノイズ成分の大きさに応じて制御する利得制御回路として機能させるコンピュータプログラムであって、
ＦＭ検波器ら出力された音声信号中のノイズレベルを計測し、そのノイズレベルに対応した制御信号を出力するノイズレベル計測回路、および
前記制御信号の値に応じて出力の値を低減するプリアンプとしての機能を実現することを特徴とするコンピュータプログラム。
【発明の詳細な説明】
【技術分野】
【０００１】
本発明は、ＦＭ受信機で再生される音声の出力をノイズ成分の大きさに応じて制御する利得制御回路に関し、更には、この利得制御回路を備えたＦＭ受信機、およびこの利得制御回路の機能を実現するコンピュータプログラムに関する。
【背景技術】
【０００２】
ＦＭ受信機において、ＦＭ検波器で復調された音声信号は、アンテナに入力される電波が所定の電界強度以上であれば、パルス性ノイズやフェージング等の影響を受けることが少なく、Ｓ／Ｎ比の高い良質の音声出力が得られる。
【０００３】
しかし、復調信号は受信電界強度に関係なく出力レベルが一定となるので、受信する電波が弱い（すなわち電界強度が小さい）ときには、復調される音声が小さくなる分、音声出力に大きなノイズが現れる。
【０００４】
従来、この耳障りなノイズによる不快感を軽減する方法として、主に２つの方法が採用されていた（特許文献１参照）。
【０００５】
第１の方法は、スケルチ回路によりスピーカから出力される音声を遮断する方法である（特許文献１の図４とその説明参照）。すなわち、検波された復調信号のノイズ成分だけをスケルチアンプで増幅して整流し、ノイズ成分が多いときには、スケルチスイッチを制御してプリアンプの出力をオフにして、スピーカから出力される音声を遮断して無音状態にする。
【０００６】
第２の方法は、ＦＭ検波器の出力側に、電界強度検出手段とプリアンプとからなる利得制御回路を配置する方法である（特許文献１の図１とその説明参照）。すなわち、電界強度検出手段によって受信した電波の電界強度に応じた制御信号を生成し、その制御信号の強さに応じてプリアンプの出力を小さくすると、受信した電波の電界強度が小さいときはプリアンプの出力が小さくなり、再生音声のノイズレベルも電界強度に応じて低下していく。
【先行技術文献】
【特許文献】
【０００７】
【特許文献１】：特開平８−１８４６８号公報
【発明の概要】
【発明が解決しようとする課題】
【０００８】
上述の第１の方法を無線通信用のＦＭ受信機に採用した場合、電波の伝播状態が悪かったり、通信する相手方と離れすぎたりして電波が弱いときは、スケルチを開放気味にする。このような場合、スケルチが動作するまでは、猛烈なノイズの中から目的の信号を聞かなければならなくなる弊害がある。
【０００９】
また上述の第２の方法を採用した場合、受信信号中の目的とする信号の電界強度が高い場合だけでなく、目的とする信号の電界強度が低くノイズ成分が大きい場合も、ノイズ成分の電力が大きくなる影響で電界強度が高いと判断され、ノイズ成分を多く含む再生音声がスピーカから出力されてしまう。逆に、受信信号中の目的とする信号の電界強度が低い場合、ノイズ成分の大きさに関係なく、再生音声の出力を絞りすぎる弊害がある。
【００１０】
本発明は上述したノイズによる不快感の軽減方法のうち利得制御回路を用いる第２の方法の改良に関するもので、目的とする信号のノイズ成分の大きさに応じて再生音声の出力を適切に絞ることができる利得制御回路を提供することを目的とする。
【課題を解決するための手段】
【００１１】
上記目的を達成するため本発明にかかる利得制御回路は、ＦＭ受信機で再生される音声の出力を、音声信号に含まれるノイズ成分の大きさに応じて制御する利得制御回路であって、
ＦＭ検波器から出力された音声信号中のノイズレベルを計測し、そのノイズレベルに対応した制御信号を出力するノイズレベル計測回路と、
前記制御信号の値に応じて出力を低減するプリアンプと、を備えたことを特徴とする。
【００１２】
ここで、前記ノイズレベル計測回路は、前記ＦＭ検波器から出力された音声信号からノイズ成分を取り出すフィルターと、前記フィルターの出力が所定の値を超えたときにパルスを出力するパルス発生器と、前記パルス発生器から出力されたパルス列を積分して前記制御信号を生成する積分器と、で構成されることが好ましい。
【００１３】
前記ＦＭ検波器、プリアンプおよびノイズレベル計測回路はデジタル・シグナル・プロセッサにより構成され、それぞれの機能は、前記デジタル・シグナル・プロセッサでプログラムに基づいて演算を行うことにより実現されることが好ましい。
【００１４】
前記プリアンプは、前記制御信号の値が大きくなるに従ってゲインが低下し、かつ前記制御信号が所定の閾値を超えたのちはゲインが一定になることが好ましい。また前記積分器は、入力端子に直列に接続された抵抗と、並行に接続されたコンデンサとで構成された積分回路と同様の特性を実現することが好ましい。
【００１５】
また本発明にかかるＦＭ受信機は、アンテナで受信した高周波信号から周波数変調された音声信号を取り出し、音声として再生するＦＭ受信機であって、
前記アンテナで受信した高周波信号を局部発振信号と混合して中間周波信号に変換するミキサと、
前記ミキサから出力された中間周波信号を検波して音声信号を出力するＦＭ検波器と、
前記ＦＭ検波器から出力された音声信号を音声として再生するスピーカと、
前記スピーカから再生される音声の出力を、音声信号に含まれるノイズ成分の大きさに応じて制御する利得制御回路と、を備え、
前記利得制御回路は、
前記ＦＭ検波器から出力された音声信号中のノイズレベルを計測し、そのノイズレベルに対応した制御信号を出力するノイズレベル計測回路と、
前記制御信号の値に応じて出力を低減するプリアンプと、で構成されることを特徴とする。
【００１６】
また本発明にかかるコンピュータプログラムは、コンピュータを、ＦＭ受信機で再生される音声の出力を、音声信号に含まれるノイズ成分の大きさに応じて制御する利得制御回路として機能させるコンピュータプログラムであって、
ＦＭ検波器ら出力された音声信号中のノイズレベルを計測し、そのノイズレベルに対応した制御信号を出力するノイズレベル計測回路、および
前記制御信号の値に応じて出力の値を低減するプリアンプとしての機能を実現することを特徴とする。
【発明の効果】
【００１７】
本発明にかかる利得制御回路では、受信信号中の目的とする信号の電界強度ではなく、復調信号中のノイズ成分の大きさに応じてプリアンプの出力を制御しており、再生音声の出力をノイズ成分の大きさに応じて適切に絞ることができるため、耳障りなノイズによる不快感を軽減できる。
【図面の簡単な説明】
【００１８】
【図１】本発明の実施の形態にかかる利得制御回路を備えたＦＭ受信機の構成を示すブロック図である。
【図２】ノイズレベル計測回路の機能を説明するタイムチャートである。
【図３】積分回路の一例を示す回路図である。
【図４】プリアンプ５のゲイン制御曲線を示すグラフである。
【図５】本発明の利得制御回路を備えたＦＭ受信機の入出力特性（ａ）および利得制御回路を備えていないＦＭ受信機の入出力特性（ｂ）を示すグラフである。
【発明を実施するための形態】
【００１９】
以下、本発明の実施の形態にかかる利得制御回路を備えたＦＭ受信機について、図面を参照しながら説明する。
【００２０】
図１に、本発明の実施の形態にかかるＦＭ受信機の構成を示す。ＦＭ受信機は、アンテナで受信した高周波信号を中間周波信号に変換する前段、中間周波信号を周波数検波して音声信号に変換する中段、音声信号に各種の処理を施した後スピーカで再生する後段の３つのブロックに分けられる。図１には、このうち中段と、後段（音声信号をＤ／Ａ変換した後スピーカで再生する部分を除く）の構成が示されている。
【００２１】
ＦＭ受信機１の構成のうち図示しない前段における処理について簡単に説明する。アンテナで受信した高周波信号は局部発振信号と混合されてＦＭ信号を含む中間周波信号に変換された後、デジタル・シグナル・プロセッサでの処理が可能となるようにＡ／Ｄコンバータでデジタル信号に変換される。デジタル信号に変換された中間周波信号は、演算を行う際の処理時間を確保するためにダウンサンプラでサンプリングレートが低減された後、図１のバンドパスフィルタ（以降「ＢＰＦ」という）２に入力される。
【００２２】
通常、ダウンサンプラによりサンプリングレートが９６ｋＨｚから４８ｋＨｚに低減され、これに合わせて中間周波数が３６ｋＨｚから１２ｋＨｚに変換される。
【００２３】
＜ＦＭ受信機の構成と動作＞
次に、図１を参照して、ＦＭ受信機の中段と後段の構成と動作を説明する。ＦＭ受信機１は、ＢＰＦ２、アンプ３、ＦＭ検波器４、プリアンプ５、ノイズレベル計測回路６、ハイパスフィルタ（以降、「ＨＰＦ」という）７、音声処理回路８、アップサンプラ９（図では「↑Ｕ」と表示）、ローパスフィルタ（以降、「ＬＰＦ」という）１０、検波器１１およびＳメータ１２を含む。これらのブロックのうちプリアンプ５とノイズレベル計測回路６とで本発明の利得制御回路を構成している。
【００２４】
図１に示すブロックのうち、破線で示したＳメータ１２を除く各ブロックの機能はデジタル・シグナル・プロセッサ（Digital Signal Processor、以降、「ＤＳＰ」という）によって実現している。具体的には、デジタル信号に変換された中間周波信号Ｓｉは、図示しないＦＩＦＯ（First-in First-out）バッファに順次取り込まれる。そしてＤＳＰは、取り込んだ中間周波信号Ｓｉに対し、予め用意されたプログラムに基づいて演算を行うことにより、各ブロックに表示された機能を実現する。
【００２５】
次に、図１に示した各ブロックの機能を説明する。中間周波数が１２ｋＨｚに変換された中間周波信号ＳｉはＢＰＦ２に入力される。ＢＰＦ２は、後段のＦＭ検波器４における周波数検波が適切に行われるように、中間周波信号Ｓｉの高域および低域の周波数をカットして、所定の帯域の成分のみを通過させる。
【００２６】
アンプ３はＡＧＣ用のアンプであり、検波器１１と共に内部ＡＧＣ回路を構成している。検波器１１は、図示しないスピーカから再生される音声のレベルを安定化させるために、ＦＭ検波器４から出力される音声信号Ｓａ１を検波して、音声信号のレベルに応じた制御信号を生成し、その制御信号をアンプ３に入力してゲイン（利得）の調整を行っている。
【００２７】
ＦＭ検波器４は、アンプ３の出力信号を周波数検波して音声信号Ｓａ１を出力する。ＦＭ検波器４から出力された音声信号Ｓａ１はプリアンプ５、ノイズレベル計測回路６および検波器１１にそれぞれ入力される。
【００２８】
なお、ＤＳＰに外付けされたＳメータ１２は受信信号の強度を表示するもので、音声信号Ｓａ１を検波器１１で検波した値が液晶ディスプレイ等に表示される。
【００２９】
＜利得制御回路の構成と動作＞
次に、利得制御回路の構成と動作を説明する。前述したように、プリアンプ５とノイズレベル計測回路６とで本発明の利得制御回路を構成している。本発明では、ノイズレベル計測回路６において、ＦＭ検波された音声信号Ｓａ１からノイズ成分を取り出し、取り出したノイズ成分の大きさに応じてプリアンプ５の出力を制御している。
【００３０】
ノイズレベル計測回路６は、ＢＰＦ６１、パルス発生器６２および積分器６３で構成されている。図２のタイムチャートを参照し、ノイズレベル計測回路６の機能について具体的に説明する。
【００３１】
ＢＰＦ６１は、ＦＭ検波器４から出力された音声信号Ｓａ１のうち、主としてノイズ成分が含まれる帯域の信号成分を取り出すものである。本実施の形態では、ＢＰＦ６１として低域遮断周波数４．３ｋＨｚ、高域遮断周波数８ｋＨｚのＢＰＦを用いた。
【００３２】
パルス発生器６２は、ＢＰＦ６１の出力の絶対値が所定の値を超えたときに所定の時間間隔でパルスを発生するものである。図２（ａ）にパルス発生器６２から出力されるパルス列の一例を示す。
【００３３】
受信した電波が弱い（電界強度が小さい）ときには、ＦＭ検波器４から出力される音声信号Ｓａ１のノイズレベルが大きくなるため、図２（ａ）に示すように、パルスが連続的に発生する。パルス発生器６２で発生したパルス列は積分器６３で積分されて制御信号Ｓｃとなり、プリアンプ５に入力される。
【００３４】
積分器６３として、図３に示した積分回路、すなわち入力端子（ＩＮ）に対して抵抗Ｒが直列に接続され、コンデンサＣが並列に接続された積分回路と同様の特性を実現した場合、図２（ａ）のパルス列に対し図２（ｂ）に示した形状の制御信号Ｓｃが得られる。
【００３５】
制御信号Ｓｃの値すなわち積分器６３の出力値は、積分器６３の演算の際のパラメータを変えることにより調整できる。パラメータの調整は、ＦＭ受信機１の表面パネルに図示しないツマミを設け、そのツマミを回すことにより行う。また、調整モードを設け、調整過程でメインダイアルを回して設定するなどしてもよい。
【００３６】
積分器６３として、図３に示した積分回路と同様の特性を実現した場合、ツマミにより可変コンデンサＣの容量を変える場合と同様の感覚で制御信号の調整を行うことができるため、ＤＳＰを用いて調整を行う場合の違和感を取り除くことができる。
【００３７】
図４にプリアンプ５のゲイン制御曲線を示す。横軸にノイズレベル計測回路６で計測されたノイズレベル（相対値）を示し、縦軸にプリアンプ５のゲイン倍率を示す。プリアンプ５のゲイン制御曲線は、ノイズレベルが大きくなるに従ってゲイン倍率が小さくなるように設定されている。従って、音声信号中のノイズ成分が増えるに従ってスピーカの音量が小さくなるため、耳障りなノイズが気にならなくなる。
【００３８】
図４に示したプリアンプ５のゲイン制御曲線では、ノイズレベルが閾値である０．４を超えると、プリアンプ５のゲイン倍率は一定に保たれている。破線に示すように、ノイズレベルが大きくなるに従ってプリアンプ５のゲイン倍率を小さくすると、ノイズレベルが大きくなった場合、スピーカの音量が小さくなって無音状態となる。この場合、ＦＭ受信機の使用者は、無音状態の原因が、ＦＭ受信機が故障したためであるか、ノイズ成分が増えたためであるか判断がつかず、混乱が生じる可能性がある。
【００３９】
これに対し、図４のゲイン制御曲線に示すように、ノイズレベルが所定の値を超えた場合にアンプのゲイン倍率を一定にすれば、音量は小さくても、常にスピーカから音声がでているため、ＦＭ受信機が故障した場合と区別できる。
【００４０】
図５に、利得制御回路を備えた本実施の形態のＦＭ受信機１の入出力特性（ａ）と、利得制御回路を備えていないＦＭ受信機の入出力特性（ｂ）とを比較して示す。各図中、横軸はＢＰＦ２へ入力される中間周波信号Ｓｉのレベル、すなわち受信電界強度に対応した値を示し、縦軸はプリアンプ５から出力される音声信号Ｓａ２の強さ（相対値）を示す。
【００４１】
図５（ｂ）に示すように、利得制御回路を備えていないＦＭ受信機では、目的とする信号の入力レベルが低下（すなわち受信電界強度が低下）するにしたがって音声信号の出力が大きくなっているが、これは出力信号中に含まれるノイズが増えるためである。よって、ノイズが強調された非常に耳障りな音声がスピーカから再生されることになる。
【００４２】
これに対し、図５（ａ）に示すように、本実施の形態のＦＭ受信機１では、入力レベルが低下（すなわち受信電界強度が低下）して、受信信号中の目的とする信号のノイズレベルが上がると、音声信号の出力が小さくなる理想的な曲線を描いている。すなわち、受信電界強度が低下して音声信号中のノイズ成分が増えるに従ってスピーカの音量が小さくなるため、耳障りなノイズによる不快感を軽減できる。
【００４３】
なお、ノイズレベル計測回路６の構成は図１に示したものに限定されない。ＦＭ検波器４から出力された音声信号Ｓａ１中のノイズレベルを計測してプリアンプ５の制御信号を生成できるものであれば、どのような構成を採用してもよい。
【００４４】
＜ＦＭ受信機（後段）の構成と動作＞
図１の説明に戻って、ＦＭ受信機１の後段のブロックの構成と動作を説明する。プリアンプ５でノイズ成分に応じて出力が調整された音声信号Ｓａ２は、ＨＰＦ７に入力する。ＨＰＦ７は、音声信号とはみなされない低域の成分を減衰させるもので、本実施の形態では、低域遮断周波数が２００ＨｚのＨＰＦを用いた。
【００４５】
ＨＰＦ７により低域成分が取り除かれた音声信号Ｓａ２は音声処理回路８に入力して、音声を再生するために必要となる各種の処理が施される。
【００４６】
音声処理回路８から出力された音声信号Ｓａ２は、アップサンプラ９に入力してサンプリングレートが４８ｋＨｚから９６ｋＨｚに変換され、音声信号Ｓａ３となる。音声信号Ｓａ３は、その後、図示しないＤ／Ａコンバータでアナログ信号に変換されるが、Ｄ／Ａコンバータはサンプリングレートが９６ｋＨｚで設計されているため、アップサンプラ９で当初のサンプリングレートに戻される。
【００４７】
アップサンプラ９から出力された音声信号Ｓａ３は、滑らかな音声を再生するため、ＬＰＦ１０で高域成分がカットされる。本実施の形態ではＬＰＦ１０の高域遮断周波数は３．５ｋＨｚに設定されている。
【００４８】
ＬＰＦ１０から出力された音声信号Ｓａ３は、Ｄ／Ａコンバータ（図示せず）でアナログ信号に変換され、メインアンプ（同）で増幅された後、スピーカ（同）から音声として再生される。
【００４９】
以上説明したように本発明の利得制御回路では、受信信号中の目的とする信号の電界強度ではなく、復調された音声信号中のノイズ成分の大きさに応じてプリアンプの出力を制御しているため、再生音声の出力をノイズの大きさに応じて適切に絞ることができる。
【００５０】
なお、本実施の形態では、利得制御回路の機能を、ＤＳＰでプログラムに基づいて演算を行うことにより実現したが、コンピュータ上でプログラムを実行することにより、これらの機能を実現してもよい。更には、個別のアンプやＢＰＦ、積分器等を組み合わせた回路で実現してもよいことは云うまでもない。
【００５１】
また、本実施の形態の利得制御回路の機能をコンピュータに実行させるためのプログラムを記録媒体（例えばＤＶＤ−ＲＯＭ）に記録して配布したり、ネットワークで配信したりしてもよい。このコンピュータプログラムは、コンピュータの記録媒体に記録されインストールされる。
【符号の説明】
【００５２】
１  ＦＭ受信機
２、６１  ＢＰＦ
３  アンプ
４  ＦＭ検波器
５  プリアンプ
６  ノイズレベル計測回路
７  ＨＰＦ
８  音声処理回路
９  アップサンプラ
１０  ＬＰＦ
１１  検波器
１２  Ｓメータ
６２  パルス発生器
６３  積分器
Ｒ  抵抗
Ｃ  コンデンサ
【図１】
2013074554.tif 000003
【図２】
2013074554.tif 000004
【図３】
2013074554.tif 000005
【図４】
2013074554.tif 000006
【図５】
2013074554.tif 000007